【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ビデオ情報を復号するための装置であって、
ビデオデータを記憶するように構成されたメモリと、
前記メモリに動作可能に結合され、
１つまたは複数のビデオレイヤセットの１つまたは複数の第１のサブセットについてのビットレート情報のビットストリーム中における存在を示す１つまたは複数のビットレート存在フラグが、前記ビットストリーム中で与えられるかどうかを示す第１のフラグを復号することと、
前記１つまたは複数のビデオレイヤセットの１つまたは複数の第２のサブセットについてのピクチャレート情報の前記ビットストリーム中における存在を示す１つまたは複数のピクチャレート存在フラグが、前記ビットストリーム中で与えられるかどうかを示す第２のフラグを復号することと、
前記ビットストリーム内でビットレートピクチャレートシンタックス構造を復号することと、ここにおいて前記ビットレートピクチャレートシンタックス構造は、（ｉ）前記１つまたは複数のビットレート存在フラグ、（ｉｉ）前記１つまたは複数のピクチャレート存在フラグ、または（ｉｉｉ）前記１つまたは複数のビットレート存在フラグと前記１つまたは複数のピクチャレート存在フラグとの両方を含む、
前記第１のフラグの値に基づいて、前記１つまたは複数のビットレート存在フラグが前記ビットストリーム中で与えられることを決定することと、
前記１つまたは複数のビットレート存在フラグが前記ビットストリーム中で与えられるとの前記決定に基づいて、前記ビットレートピクチャレートシンタックス構造内の前記１つまたは複数のビットレート存在フラグを復号することと、前記１つまたは複数のビットレート存在フラグは、前記１つまたは複数のビデオレイヤセットの対応するサブセットについてのビットレート情報が前記ビットストリーム中で与えられるかどうかを各々示す、
前記第２のフラグの値に基づいて、前記１つまたは複数のピクチャレート存在フラグが前記ビットストリーム中で与えられることを決定することと、
前記１つまたは複数のピクチャレート存在フラグが前記ビットストリーム中で与えられるとの前記決定に基づいて、前記ビットレートピクチャレートシンタックス構造内の前記１つまたは複数のピクチャレート存在フラグを復号することと、前記１つまたは複数のピクチャレート存在フラグは、前記１つまたは複数のビデオレイヤセットの対応するサブセットについてのピクチャレート情報が前記ビットストリーム中で与えられるかどうかを各々示す、
を行うように構成されたコンピューティングハードウェアと
を備える、装置。
【請求項２】
前記第１のフラグは、前記１つまたは複数のビットレート存在フラグが前記ビットストリーム中で与えられるかどうかを示す単一のグローバルフラグであり、前記第２のフラグは、前記第１のフラグとは異なり、前記１つまたは複数のピクチャレート存在フラグが前記ビットストリーム中で与えられるかどうかを示す単一のグローバルフラグである、請求項１に記載の装置。
【請求項３】
前記コンピューティングハードウェアは、ビデオパラメータセット（ＶＰＳ）に関連する前記第１および第２のフラグを復号するようにさらに構成される、請求項１に記載の装置。
【請求項４】
前記コンピューティングハードウェアは、前記第１のフラグが１の値を有することに基づいて、前記１つまたは複数のビットレート存在フラグを復号するようにさらに構成される、請求項１に記載の装置。
【請求項５】
前記コンピューティングハードウェアは、前記第２のフラグが１の値を有することに基づいて、前記１つまたは複数のピクチャレート存在フラグを復号するようにさらに構成される、請求項１に記載の装置。
【請求項６】
前記装置が、デスクトップコンピュータ、ノートブックコンピュータ、ラップトップコンピュータ、タブレットコンピュータ、セットトップボックス、電話ハンドセット、スマートフォン、スマートパッド、テレビ、カメラ、ディスプレイデバイス、デジタルメディアプレーヤ、ビデオゲームコンソール、またはビデオストリーミングデバイスのうちの１つまたは複数を備える、請求項１に記載の装置。
【請求項７】
ビデオ情報を復号する方法であって、
１つまたは複数のビデオレイヤセットの１つまたは複数の第１のサブセットについてのビットレート情報のビットストリーム中における存在を示す１つまたは複数のビットレート存在フラグが、前記ビットストリーム中で与えられるかどうかを示す第１のフラグを復号することと、
前記１つまたは複数のビデオレイヤセットの１つまたは複数の第２のサブセットについてのピクチャレート情報の前記ビットストリーム中における存在を示す１つまたは複数のピクチャレート存在フラグが、前記ビットストリーム中で与えられるかどうかを示す第２のフラグを復号することと、
前記ビットストリーム内でビットレートピクチャレートシンタックス構造を復号することと、ここにおいて前記ビットレートピクチャレートシンタックス構造は、（ｉ）前記１つまたは複数のビットレート存在フラグ、（ｉｉ）前記１つまたは複数のピクチャレート存在フラグ、または（ｉｉｉ）前記１つまたは複数のビットレート存在フラグと前記１つまたは複数のピクチャレート存在フラグとの両方を含む、
前記第１のフラグの値に基づいて、前記１つまたは複数のビットレート存在フラグが前記ビットストリーム中で与えられることを決定することと、
前記１つまたは複数のビットレート存在フラグが前記ビットストリーム中で与えられるとの前記決定に基づいて、前記ビットレートピクチャレートシンタックス構造内の前記１つまたは複数のビットレート存在フラグを復号することと、前記１つまたは複数のビットレート存在フラグは、前記１つまたは複数のビデオレイヤセットの対応するサブセットについてのビットレート情報が前記ビットストリーム中で与えられるかどうかを各々示す、
前記第２のフラグの値に基づいて、前記１つまたは複数のピクチャレート存在フラグが前記ビットストリーム中で与えられることを決定することと、
前記１つまたは複数のピクチャレート存在フラグが前記ビットストリーム中で与えられるとの前記決定に基づいて、前記ビットレートピクチャレートシンタックス構造内の前記１つまたは複数のピクチャレート存在フラグを復号することと、前記１つまたは複数のピクチャレート存在フラグは、前記１つまたは複数のビデオレイヤセットの対応するサブセットについてのピクチャレート情報が前記ビットストリーム中で与えられるかどうかを各々示す、
を備える、方法。
【請求項８】
前記第１のフラグは、前記１つまたは複数のビットレート存在フラグが前記ビットストリーム中で与えられるかどうかを示す単一のグローバルフラグであり、前記第２のフラグは、前記第１のフラグとは異なり、前記１つまたは複数のピクチャレート存在フラグが前記ビットストリーム中で与えられるかどうかを示す単一のグローバルフラグである、請求項７に記載の方法。
【請求項９】
ビデオパラメータセット（ＶＰＳ）に関連する前記第１および第２のフラグを復号することをさらに備える、請求項７に記載の方法。
【請求項１０】
前記第１のフラグが１の値を有することに基づいて、前記１つまたは複数のビットレート存在フラグを復号することをさらに備える、請求項７に記載の方法。
【請求項１１】
前記第２のフラグが１の値を有することに基づいて、前記１つまたは複数のピクチャレート存在フラグを復号することをさらに備える、請求項７に記載の方法。
【請求項１２】
命令を備える非一時的コンピュータ可読媒体であって、前記命令は、コンピューティングハードウェアを備えるプロセッサ上で実行されると、
１つまたは複数のビデオレイヤセットの１つまたは複数の第１のサブセットについてのビットレート情報のビットストリーム中における存在を示す１つまたは複数のビットレート存在フラグが、前記ビットストリーム中で与えられるかどうかを示す第１のフラグを復号することと、
前記１つまたは複数のビデオレイヤセットの１つまたは複数の第２のサブセットについてのピクチャレート情報の前記ビットストリーム中における存在を示す１つまたは複数のピクチャレート存在フラグが、前記ビットストリーム中で与えられるかどうかを示す第２のフラグを復号することと、
前記ビットストリーム内でビットレートピクチャレートシンタックス構造を復号することと、ここにおいて前記ビットレートピクチャレートシンタックス構造は、（ｉ）前記１つまたは複数のビットレート存在フラグ、（ｉｉ）前記１つまたは複数のピクチャレート存在フラグ、または（ｉｉｉ）前記１つまたは複数のビットレート存在フラグと前記１つまたは複数のピクチャレート存在フラグとの両方を含む、
前記第１のフラグの値に基づいて、前記１つまたは複数のビットレート存在フラグが前記ビットストリーム中で与えられることを決定することと、
前記１つまたは複数のビットレート存在フラグが前記ビットストリーム中で与えられるとの前記決定に基づいて、前記ビットレートピクチャレートシンタックス構造内の前記１つまたは複数のビットレート存在フラグを復号することと、前記１つまたは複数のビットレート存在フラグは、前記１つまたは複数のビデオレイヤセットの対応するサブセットについてのビットレート情報が前記ビットストリーム中で与えられるかどうかを各々示す、
前記第２のフラグの値に基づいて、前記１つまたは複数のピクチャレート存在フラグが前記ビットストリーム中で与えられることを決定することと、
前記１つまたは複数のピクチャレート存在フラグが前記ビットストリーム中で与えられるとの前記決定に基づいて、前記ビットレートピクチャレートシンタックス構造内の前記１つまたは複数のピクチャレート存在フラグを復号することと、前記１つまたは複数のピクチャレート存在フラグは、前記１つまたは複数のビデオレイヤセットの対応するサブセットについてのピクチャレート情報が前記ビットストリーム中で与えられるかどうかを各々示す、
を前記プロセッサに行わせる、コンピュータ可読媒体。
【請求項１３】
前記第１のフラグは、前記１つまたは複数のビットレート存在フラグが前記ビットストリーム中で与えられるかどうかを示す単一のグローバルフラグであり、前記第２のフラグは、前記第１のフラグとは異なり、前記１つまたは複数のピクチャレート存在フラグが前記ビットストリーム中で与えられるかどうかを示す単一のグローバルフラグである、請求項１２に記載のコンピュータ可読媒体。
【請求項１４】
ビデオパラメータセット（ＶＰＳ）に関連する前記第１および第２のフラグを復号することを前記プロセッサに行わせる命令をさらに備える、請求項１２に記載のコンピュータ可読媒体。
【請求項１５】
前記第１のフラグが１の値を有することに基づいて、前記１つまたは複数のビットレート存在フラグを復号することを前記プロセッサに行わせる命令をさらに備える、請求項１２に記載のコンピュータ可読媒体。
【請求項１６】
前記第２のフラグが１の値を有することに基づいて、前記１つまたは複数のピクチャレート存在フラグを復号することを前記プロセッサに行わせる命令をさらに備える、請求項１２に記載のコンピュータ可読媒体。
【請求項１７】
ビデオ情報を復号するように構成された装置であって、
１つまたは複数のビデオレイヤセットの１つまたは複数の第１のサブセットについてのビットレート情報のビットストリーム中における存在を示す１つまたは複数のビットレート存在フラグが、前記ビットストリーム中で与えられるかどうかを示す第１のフラグを復号するための手段と、
前記１つまたは複数のビデオレイヤセットの１つまたは複数の第２のサブセットについてのピクチャレート情報の前記ビットストリーム中における存在を示す１つまたは複数のピクチャレート存在フラグが、前記ビットストリーム中で与えられるかどうかを示す第２のフラグを復号するための手段と、
前記ビットストリーム内でビットレートピクチャレートシンタックス構造を復号するための手段と、ここにおいて前記ビットレートピクチャレートシンタックス構造は、（ｉ）前記１つまたは複数のビットレート存在フラグ、（ｉｉ）前記１つまたは複数のピクチャレート存在フラグ、または（ｉｉｉ）前記１つまたは複数のビットレート存在フラグと前記１つまたは複数のピクチャレート存在フラグとの両方を含む、
前記第１のフラグの値に基づいて、前記１つまたは複数のビットレート存在フラグが前記ビットストリーム中で与えられることを決定するための手段と、
前記１つまたは複数のビットレート存在フラグが前記ビットストリーム中で与えられるとの前記決定に基づいて、前記ビットレートピクチャレートシンタックス構造内の前記１つまたは複数のビットレート存在フラグを復号するための手段と、前記１つまたは複数のビットレート存在フラグは、前記１つまたは複数のビデオレイヤセットの対応するサブセットについてのビットレート情報が前記ビットストリーム中で与えられるかどうかを各々示す、
前記第２のフラグの値に基づいて、前記１つまたは複数のピクチャレート存在フラグが前記ビットストリーム中で与えられることを決定するための手段と、
前記１つまたは複数のピクチャレート存在フラグが前記ビットストリーム中で与えられるとの前記決定に基づいて、前記ビットレートピクチャレートシンタックス構造内の前記１つまたは複数のピクチャレート存在フラグを復号するための手段と、前記１つまたは複数のピクチャレート存在フラグは、前記１つまたは複数のビデオレイヤセットの対応するサブセットについてのピクチャレート情報が前記ビットストリーム中で与えられるかどうかを各々示す、
を備える、装置。
【請求項１８】
前記第１のフラグは、前記１つまたは複数のビットレート存在フラグが前記ビットストリーム中で与えられるかどうかを示す単一のグローバルフラグであり、前記第２のフラグは、前記第１のフラグとは異なり、前記１つまたは複数のピクチャレート存在フラグが前記ビットストリーム中で与えられるかどうかを示す単一のグローバルフラグである、請求項１７に記載の装置。
【請求項１９】
ビデオパラメータセット（ＶＰＳ）に関連する前記第１および第２のフラグを復号するための手段をさらに備える、請求項１７に記載の装置。
【請求項２０】
前記第１のフラグが１の値を有することに基づいて、前記１つまたは複数のビットレート存在フラグを復号するための手段をさらに備える、請求項１７に記載の装置。
【請求項２１】
前記第２のフラグが１の値を有することに基づいて、前記１つまたは複数のピクチャレート存在フラグを復号するための手段をさらに備える、請求項１７に記載の装置。
【請求項２２】
前記コンピューティングハードウェアは、
前記対応するサブセットについてのビットレート情報が前記ビットストリーム中で与えられることを示す前記１つまたは複数のビットレート存在フラグの各々について、前記対応するサブセットについての平均ビットレート情報および最大ビットレート情報を復号することと、
前記対応するサブセットについてのピクチャレート情報が前記ビットストリーム中で与えられることを示す前記１つまたは複数のピクチャレート存在フラグの各々について、前記対応するサブセットについての一定ピクチャレート情報および最大ピクチャレート情報を復号することと
を行うようにさらに構成される、請求項１に記載の装置。
【請求項２３】
前記対応するサブセットについてのビットレート情報が前記ビットストリーム中で与えられることを示す前記１つまたは複数のビットレート存在フラグの各々について、前記対応するサブセットについての平均ビットレート情報および最大ビットレート情報を復号することと、
前記対応するサブセットについてのピクチャレート情報が前記ビットストリーム中で与えられることを示す前記１つまたは複数のピクチャレート存在フラグの各々について、前記対応するサブセットについての一定ピクチャレート情報および最大ピクチャレート情報を復号することと
をさらに備える、請求項７に記載の方法。
【請求項２４】
前記プロセッサに、
前記対応するサブセットについてのビットレート情報が前記ビットストリーム中で与えられることを示す前記１つまたは複数のビットレート存在フラグの各々について、前記対応するサブセットについての平均ビットレート情報および最大ビットレート情報を復号することと、
前記対応するサブセットについてのピクチャレート情報が前記ビットストリーム中で与えられることを示す前記１つまたは複数のピクチャレート存在フラグの各々について、前記対応するサブセットについての一定ピクチャレート情報および最大ピクチャレート情報を復号することと
を行わせる命令をさらに備える、請求項１２に記載のコンピュータ可読媒体。
【請求項２５】
前記対応するサブセットについてのビットレート情報が前記ビットストリーム中で与えられることを示す前記１つまたは複数のビットレート存在フラグの各々について、前記対応するサブセットについての平均ビットレート情報および最大ビットレート情報を復号するための手段と、
前記対応するサブセットについてのピクチャレート情報が前記ビットストリーム中で与えられることを示す前記１つまたは複数のピクチャレート存在フラグの各々について、前記対応するサブセットについての一定ピクチャレート情報および最大ピクチャレート情報を復号するための手段と
をさらに備える、請求項１７に記載の装置。